(57)【要約】  【課題】必要に応じて小さい取付穴から大きい取付穴に施工することができるとともに、部品点数をできるだけ少なくしてコスト低減を図り、さらには、施工作業を容易にできる水栓取付け機構及び水栓取付け方法を提供すること。  【解決手段】水栓取付け機構１は、供給管挿通用の貫通穴２が開設された水栓取付板部３の上部に、供給管の挿通孔４を有する水栓取り付け用のアダプター５を、前記挿通孔と前記貫通穴を連通させる状態で上方から固定し、このアダプター５に水栓を取り付けるようにした水栓取付け機構であって、前記アダプター５に、前記貫通穴２に挿通される第１、第２ホルダーガイド６，６を設け、前記第１ホルダーガイド１は外周面に雄ネジ６ａを有しており、そして前記第１ホルダーガイド６が挿通される貫通孔９及び第２ホルダーガイド７が挿通される貫通孔９を有する上ホルダー１０と、第１ホルダーガイド６の前記雄ネジに６ａ螺合する雌ネジ１１ａを有する下ホルダー１１とを備える。【選択図】        図２
2019007324.tif 000002
【特許請求の範囲】
【請求項１】
供給管挿通用の貫通穴が開設された水栓取付板部の上部に、供給管の挿通孔を有する水栓取り付け用のアダプターを、前記挿通孔と前記貫通穴を連通させる状態で上方から固定し、このアダプターに水栓を取り付けるようにした水栓取付け機構であって、前記アダプターに、前記貫通穴に挿通される第１、第２ホルダーガイドを設け、前記第１ホルダーガイドは外周面に雄ネジを有しており、そして前記第１ホルダーガイドが挿通される貫通孔及び第２ホルダーガイドが挿通される貫通孔を有する上ホルダーと、第１ホルダーガイドの前記雄ネジに螺合する雌ネジを有する下ホルダーとを備えることを特徴とする水栓取付け機構。
【請求項２】
前記第２ホルダーガイドは外周面に雄ネジを有し、前記第２ホルダーガイドが挿通される前記貫通孔は前記第２ホルダーガイドの前記雄ネジに螺合する雌ネジを内面に有する請求項１に記載の水栓取付け機構。
【請求項３】
請求項１又は請求項２に記載の水栓取付け機構を用いる水栓取付け方法であって、前記上ホルダー、下ホルダーを互いに近接させた閉状態でこれら上、下ホルダー及び前記第１、第２ホルダーガイドを前記貫通穴内に挿入し、前記第１ホルダーガイドを軸心回りに回動して前記第１ホルダーガイドの前記雄ネジと前記下ホルダーの前記雌ネジとの螺合により、まず、前記下ホルダーが回動して前記上、下ホルダーが開状態となり、次いで、前記下ホルダーが前記上ホルダーに当接し、さらに、前記上、下ホルダーが上昇し、さらに、それら上、下ホルダーの上面が水栓取付板部側に当接して、前記アダプターを水栓取付板部に固定することを特徴とする水栓取付け方法。
【発明の詳細な説明】
【技術分野】
【０００１】
本発明は、水栓取付け機構及び水栓取付け方法に関するものである。
【背景技術】
【０００２】
湯水混合栓を水栓取付板部上に取り付けるにあたり、作業者が例えば流し台のシンク下部に潜り込み、湯水混合栓取り付け足にパッキン、座金、ロックナットを嵌込みながらロックナットを前記取り付け足の雄ねじに締付けるというふうに下からの作業を行っていたので、作業性が悪いという問題があった。
【０００３】
そこで、この問題を解決するため特許文献１に示すような水栓取付け機構がある。
【０００４】
この水栓取付け機構は、供給管（接続ホース）の挿通孔を有する水栓取り付け用のアダプター（フランジ）を設け、アダプターに取り付けた２個のホルダーガイド（ビス）にそれぞれホルダーを設け、水栓取付板部（面板）に開設された貫通孔（取付穴）を通過可能な大きさの１個のホルダー抜け止め用の締付け金具を設け、締付け金具の２個のねじ孔にそれぞれホルダーガイドを螺着させ、ホルダーガイドに対して、上から順にアダプター、ホルダー及び締付け金具を位置させるように構成されている。
【０００５】
さらに、この従来例は、閉じた姿勢〔特許文献１の図４（Ａ）参照〕のまま両ホルダーを貫通孔に通した後にホルダーが自重で自然に開いて（回転して）閉じた姿勢から開いた姿勢〔特許文献１の図４（Ｂ）参照〕に切り換わるよう特許文献１の図１，２，５，７に示すように、締付け金具及びその上に位置するホルダー間にスベリコア及びスベリ座を設けたものである。
【０００６】
そして、水栓取付けに当たっては、挿通孔が貫通孔に連通するようアダプターを水栓取付板部の上部に載置するとともに、２個のホルダーを閉じた状態にしながらホルダーガイドと締付け金具を水栓取付板部の上方から貫通孔を通過させ、続いて、閉じた状態から２個のホルダーが自然に開き、続いて、ホルダーガイドを回転させながら、この回転による締付け金具の螺進に伴って２個のホルダーを持ち上げ、ホルダーとアダプターとで水栓取付板部を挟着し、水栓に接続の供給管を水栓取付板部の上方から挿通孔を経て貫通孔に挿通し、水栓の下部をアダプターに内嵌合させるようにしている。
【先行技術文献】
【特許文献】
【０００７】
【特許文献１】特許第４１３８９６９号公報
【発明の概要】
【発明が解決しようとする課題】
【０００８】
しかし、従来の水栓取付け機構は以下に示すような課題がある。
【０００９】
（１）面板上から取り付ける際に水栓を固定するホルダーが、小さい取付穴には通らない。
【００１０】
又、ホルダーを小さくすると大きい取付穴に取り付けできない。
【００１１】
即ち、上記従来例では、２個のホルダーの閉じた姿勢の大きさが、３５ｍｍ（〜３９ｍｍ）以上の径を持つ取付穴を通過するように設定されていたので、例えば３３ｍｍの径を持つ小さい取付穴に施工することができない。
【００１２】
（２）施工時に締め込むビスが２個あり、例えばレンチ、スパナ等の工具を用いてビスを２個締付ける必要があり、施工に手間がかかる。
【００１３】
即ち、ビスを保持する締付け金具を螺進させるため２個のビスを回転させる必要がある。
【００１４】
（３）２個のホルダー、ビスを保持する締付け金具が必要であり、又、スベリコア及びスベリ座も必要であり、部品点数が多く、コストが増大する。
【００１５】
（４）ビスの配置にスペースを取るため、フランジの空間が狭くなり、水栓の接続ホースが通しづらい。また、小さい取付穴では接続ホースが通せない。
【００１６】
本発明は上述の事柄を考慮に入れてなされたものであり、必要に応じて小さい取付穴から大きい取付穴に施工することができるとともに、部品点数をできるだけ少なくしてコスト低減を図り、さらには、施工作業を容易にできる水栓取付け機構及び水栓取付け方法を提供することを目的としている。
【課題を解決するための手段】
【００１７】
上記目的を達成するため、本発明は、供給管挿通用の貫通穴が開設された水栓取付板部の上部に、供給管の挿通孔を有する水栓取り付け用のアダプターを、前記挿通孔と前記貫通穴を連通させる状態で上方から固定し、このアダプターに水栓を取り付けるようにした水栓取付け機構であって、前記アダプターに、前記貫通穴に挿通される第１、第２ホルダーガイドを設け、前記第１ホルダーガイドは外周面に雄ネジを有しており、そして前記第１ホルダーガイドが挿通される貫通孔及び第２ホルダーガイドが挿通される貫通孔を有する上ホルダーと、第１ホルダーガイドの前記雄ネジに螺合する雌ネジを有する下ホルダーとを備えることを特徴とする水栓取付け機構を提供する（請求項１）。
【００１８】
又、本発明は、前記第２ホルダーガイドは外周面に雄ネジを有し、前記第２ホルダーガイドが挿通される前記貫通孔は前記第２ホルダーガイドの前記雄ネジに螺合する雌ネジを内面に有する請求項１に記載の水栓取付け機構を提供する（請求項２）。
【００１９】
又、別の観点から、本発明は、請求項１又は請求項２に記載の水栓取付け機構を用いる水栓取付け方法であって、前記上ホルダー、下ホルダーを互いに近接させた閉状態でこれら上、下ホルダー及び前記第１、第２ホルダーガイドを前記貫通孔内に挿入し、前記第１ホルダーガイドを軸心回りに回動して前記第１ホルダーガイドの前記雄ネジと前記下ホルダーの前記雌ネジとの螺合により、まず、前記下ホルダーが回動して前記上、下ホルダーが開状態となり、次いで、前記下ホルダーが前記上ホルダーに当接し、さらに、前記上、下ホルダーが上昇し、さらに、それら上、下ホルダーの上面が水栓取付板部側に当接して、前記アダプターを水栓取付板部に固定することを特徴とする水栓取付け方法を提供する（請求項３）。
【発明の効果】
【００２０】
本発明では、第１ホルダーガイドの外周面に雄ネジを設けるとともに、第１、第２ホルダーガイドが挿通される貫通孔を有する上ホルダーと、前記雄ネジに螺合する雌ネジを有する下ホルダーとを、供給管挿通用の貫通穴に通す際に、下ホルダーを第１ホルダーガイド回りに回転させると、下ホルダーは自由に回転できるため、上下両ホルダーをそろえるようにでき互いに近接させた閉状態にできる。
【００２１】
即ち、本発明では、水栓取付板部の上方において上下両ホルダーをそろえることができ、上下両ホルダーのサイズを小さくすることなく上下両ホルダーを供給管挿通用の貫通穴に通すことができる。
【００２２】
又、本発明では、上下両ホルダーのサイズを小さくする必要がないため、大きな供給管挿通用の貫通穴にも対応できる。
【００２３】
前記供給管挿通用の貫通穴に上下両ホルダーを通した後、下ホルダーに螺合している第１ホルダーガイドを水栓取付板部の上方にから締付けて回動させることにより、前記供給管挿通用の貫通穴を通す際に閉じていた状態の下ホルダーが第２ホルダーガイド側まで開いていき、第２ホルダーガイドに当たった下ホルダーは、この状態で上昇していく。
【００２４】
このような下ホルダーの上昇過程で下ホルダーは上ホルダーに当たり上下両ホルダーは合わさり、さらに、合わさった状態で、さらに上ホルダーも下ホルダーと共に上昇し、遂には、上ホルダーの上面及び下ホルダーの上面が水栓取付板部側に当接して、アダプターを水栓取付板部に固定することができる。
【００２５】
又、前記両ホルダーガイドの配置スペースを小さくできるため、締付金具内の空間を大きくとることができ、水栓の接続ホースを通しやすい。又、小さい供給管挿通用貫通孔でも接続ホースが通すことができる。
【００２６】
請求項２記載の発明では、第２ホルダーガイドが挿通されされる貫通孔は第２ホルダーガイドの雄ネジに螺合する雌ネジを内面に有するので、上ホルダーの水平姿勢を常に保てるよう（第１ホルダーガイドを回転し易くするよう）第２ホルダーガイドの締付けによって適宜調整することができる。
【００２７】
そのため、請求項２記載の発明では、第１ホルダーガイドを回転し易い水平姿勢に上ホルダーを常時保ちながら、作業者は、下ホルダーの回転動作、下ホルダーが第２ホルダーガイドまで開いていく動作、下ホルダーの上昇動作をスムースに行うことがてきる。
【図面の簡単な説明】
【００２８】
【図１】（Ａ）は、本発明の一実施形態に係る水栓取付け機構におけるアダプターを上方から見た斜視図である。（Ｂ）は、上記実施形態におけるアダプターを下方から見た斜視図である。
【図２】は、上記実施形態において、水栓取付け前の複数の水栓取付部材（アダプター、第１、第２ホルダーガイド、上ホルダー、下ホルダー）を示す分解斜視図である。
【図３】は、上記実施形態において、組付けられた複数の水栓取付部材のうち下ホルダーを自由回転させて上下両ホルダーをそろえながら上下両ホルダーを供給管挿通用の貫通孔に通す状態を示す構成説明図である。
【図４】は、上記実施形態において、供給管挿通用の貫通孔に上下両ホルダーを通した後、第１ホルダーガイドをねじ込みながら下ホルダーが第２ホルダーガイドまで開いていく状態を示す斜視図である。
【図５】は、上記実施形態において、下ホルダーが第２ホルダーガイドに当たりながら上昇していく状態を示す斜視図である。
【図６】は、上記実施形態において、下ホルダーの上昇過程で下ホルダーが上ホルダーと合わさり、上下両ホルダーが上昇していく状態を示す斜視図である。
【図７】（Ａ）は、本発明の他の実施形態に係る水栓取付け機構で用いる下ホルダーを示す上面図である。（Ｂ）は、上記実施形態における下ホルダーを示す下面図である。
【図８】本発明の更に他の実施形態において、水栓取付け前の複数の水栓取付部材（アダプター、第１、第２ホルダーガイド、上ホルダー、下ホルダー）を示す分解斜視図である。
【発明を実施するための形態】
【００２９】
以下、本発明の実施形態について説明する。なお、それによって本発明は限定されるものではない。
【００３０】
図１〜図６は、本発明の一実施形態を示す。
【００３１】
図１〜図６において、水栓取付け機構１は、供給管挿通用の貫通穴２が開設された水栓取付板部（面板）３の上部に、水栓（湯水混合栓）（図示せず）に接続の供給管（接続ホース）（図示せず）の挿通孔４を有する水栓取り付け用のアダプター（フランジ）５を、供給管挿通用の貫通穴２と挿通孔４を連通させる状態で上方から固定し、このアダプター５に湯水混合栓を取り付けるようにしたものである。
【００３２】
アダプター５に、貫通穴２に挿通される第１、第２ホルダーガイド６，７を設け、第１ホルダーガイド６は外周面に雄ネジ６ａを有しており、そして第１、第２ホルダーガイド６，７が挿通される貫通孔８，９を有する上ホルダー１０と、第１ホルダーガイド６の雄ネジ６ａに螺合する雌ネジ１１ａを有する下ホルダー１１とを備える。
【００３３】
第２ホルダーガイド７は、この実施形態では外周面に雄ネジ７ａを有しているが、ピンでもよい。
【００３４】
アダプター５は、筒状で、上部小径部分５ａと下部大径部分５ｂを有する。
【００３５】
上部小径部分５ａは、湯水混合栓の下部側をビス止めによりアダプター５に内嵌合させるため設けたビス孔１２を有する。
【００３６】
下部大径部分５ｂは供給管挿通用の貫通穴２よりも大径である。
【００３７】
上ホルダー１０は、羽根状で、垂直段差１３を介して大小二つの所定の厚みを有し、前記貫通孔８，９を一端側に有する。
【００３８】
即ち、上ホルダー１０は、一端側の下部を切欠いてあり、垂直段差１３を介して厚みが小である一端部（薄肉部）ａと大である他端部（厚肉部）ｂで構成されている。
【００３９】
又、上ホルダー１０は、貫通孔９の近傍で他端寄りにおける一方面には内側に湾曲した湾曲面１４を有する。そして、上ホルダー１０の薄肉部ａに、先端側から前記貫通孔８，９及び前記湾曲面１４がこの順で設けられている。
【００４０】
一方、下ホルダー１１は、羽根状で、上ホルダー１０とは反対に、他端側の上部を切欠いてあり、垂直段差１５を介して厚みが小である他端部（薄肉部）ｄと大である一端部（厚肉部）ｅで構成されている。
【００４１】
又、下ホルダー１１の薄肉部ｄに、先端側から前記雌ネジ１１ａ及び第２ホルダーガイド７に当接しうるよう一方面の内側に湾曲して形成された湾曲面１６がこの順で設けられている。
【００４２】
更に、厚肉部ｂ，ｅのトータルの厚みＴは前記貫通穴２の最小径（例えば３３ｍｍの径）よりも小さく設定されているとともに、上下両ホルダー１０，１１の長さはそれぞれ前記貫通孔２の最大径（例えば３９ｍｍの径）よりも長く設定されている。
【００４３】
図３は、下ホルダー１１が自由に回転できるため、上下両ホルダー１０，１１をそろえることができ、上下両ホルダー１０，１１をそろえるようにして互いに近接させるようにした閉状態を示し、この状態で上下両ホルダー１０，１１を供給管挿通用の貫通穴２に通すものである。
【００４４】
即ち、上下両ホルダー１０，１１の閉状態では、上ホルダー１０の厚肉部ｂの下面と下ホルダー１１の厚肉部ｅの上面が向き合いながら当接した状態で厚肉部ｂ，ｅから上下両ホルダー１０，１１を供給管挿通用の貫通穴２に挿入している。
【００４５】
この場合、厚肉部ｂ，ｅのトータルの厚みＴは前記貫通穴２の最小径（例えば３３ｍｍの径）よりも小さく設定されているとともに、上下両ホルダー１０，１１の長さは前記貫通穴２の最大径（例えば３９ｍｍの径）よりも長く設定されている。且つ、本発明では、従来のように供給管挿通用の貫通穴を通過する締付け金具は不要である。
【００４６】
そのため、小さい取付穴から大きい取付穴までオールラウンドに施工することができる。
【００４７】
又、下ホルダー１１の上昇過程で下ホルダー１１が上ホルダー１０と合わさり、この状態で上下両ホルダー１０，１１が上昇していく場合は、下ホルダー１１の薄肉部ｄに形成した湾曲面１６が第２ホルダーガイド７に当たりながら、且つ上ホルダー１０の薄肉部ａの下部と、下ホルダー１１の薄肉部ｄの上部とが向き合いながら合わさった状態で、上下両ホルダー１０，１１が上昇していく。
【００４８】
而して、図２に示す状態から、第１ホルダーガイド６を貫通孔９と雌ネジ１１ａに通す。
【００４９】
一方、第２ホルダーガイド７を貫通孔８に通すとともに、雄ネジ７ａに螺合する雌ネジを有するナット等の部材２１〔図３参照〕を第２ホルダーガイド７の下端に設ける。
【００５０】
続いて、図３に示すように、下ホルダー１１を回転させて下ホルダー１１を上ホルダー１０にそろえ、上下両ホルダー１０，１１をそろえることで小さい供給管挿通用の貫通穴２に通すことができる。又、上下両ホルダー１０，１１のサイズを小さくする必要はないため、大きな径の貫通穴２にも対応できる。
【００５１】
貫通穴２を通した後、第１ホルダーガイド６をガイド上端部から工具でねじ込むと、貫通穴２を通す際に閉じていた下ホルダー１１が図４に示すように、第２ホルダーガイド６まで開いていき、その結果、図５に示すように、下ホルダー１１の薄肉部ｄに設けた湾曲面１６が第２ホルダーガイド７に当たる。
【００５２】
更に、第１ホルダーガイド６をねじ込んでいくと、雄ネジ６ａと雌ネジ１１ａの螺合により、下ホルダー１１は上昇していく。
【００５３】
そして、図６に示すように、下ホルダー１１が上昇するとこれが上ホルダー１０と合わさり、上ホルダー１０も上昇していくため、工具による締付けは上ホルダー１０だけで済む。即ち、この実施形態では、施工時に例えばレンチ、スパナ等の工具を用いて締め込む第１ホルダーガイド（ビス）６が１個で済むので、その分、２個締付ける必要がある従来例に比べて施工が容易である。
【００５４】
その結果、遂には、上ホルダー１０の上面全体及び下ホルダー１１の厚肉部ｅの上面が水栓取付板部側に当接して、アダプター５を水栓取付板部３に固定することができる。この際、ナット等の部材２１を下ホルダー１１の薄厚肉部ｄの下面にまでねじ込むことにより両ホルダー１０，１１の当たりを強固にでき、引いてはアダプター５を水栓取付板部３に強固に固定できる。
【００５５】
図７は、本発明の他の実施形態を示す。尚、図７において、図１〜図６に示した符号と同一のものは、同一又は相当物である。
【００５６】
図７において、下ホルダー１１の厚肉部ｅの上面２２に複数の小突起２３を設け、上ホルダー１０の上面及び前記上面２２が水栓取付板部側に当接した際に、水栓取付板部３の下面３ａに複数の小突起２３を介して厚肉部ｅの上面が当接する。そのため、厚肉部ｅの上面がフラットな場合に比べて、下面３ａに対して厚肉部ｅが滑りにくく摩擦力を大にでき、水栓取付板部３のアダプター５とホルダー１０，１１との挟持力をより強固にできる。
【００５７】
図８は、第２ホルダーガイド７が挿通される貫通孔８は第２ホルダーガイド７の雄ネジ７ａに螺合する雌ネジ８ａを内面に有するように構成した本発明の更に他の実施形態を示す。尚、図８において、図１〜図７に示した符号と同一のものは、同一又は相当物である。
【００５８】
図８において、この実施形態の上ホルダー１０は、上下面がストレートな面に形成されており、肉部ａの厚みは下ホルダー１１の厚肉部ｅの厚みから下ホルダー１１の薄肉部ｄの厚みを差し引いた厚みに形成されている。
【００５９】
上ホルダー１０は、羽根状で、貫通孔８，９を一端側に有する。第２ホルダーガイド７が挿通される貫通孔８は第２ホルダーガイド７の雄ネジ７ａに螺合する雌ネジ８ａを内面に有する。
【００６０】
即ち、上ホルダー１０は、貫通孔９の近傍で他端寄りにおける一方面には内側に湾曲した湾曲面１４を有する。そして、上ホルダー１０の肉部ａには、先端側から貫通孔８，９及び湾曲面１４がこの順で設けられている。
【００６１】
又、上ホルダー１０の上面における他端側には、複数の小突起２３が設けられている。  
【００６２】
而して、図８に示す状態から、第１ホルダーガイド６を貫通孔９と雌ネジ１１ａに通す。
【００６３】
一方、第２ホルダーガイド７を貫通孔８の雌ネジ８ａに螺合する。
【００６４】
続いて、下ホルダー１１を回転させて下ホルダー１１を上ホルダー１０にそろえ、上下両ホルダー１０，１１をそろえることで小さい供給管挿通用の貫通穴２に通すことができる。又、上下両ホルダー１０，１１のサイズを小さくする必要はないため、大きな径の貫通穴２にも対応できる。
【００６５】
この際、第１ホルダーガイド６が回転し易いように第２ホルダーガイド７の締付けを適宜調整することによって下ホルダー１１はスムースに上ホルダー１０に揃うことになる。  
【００６６】
貫通穴２を通した後、第１ホルダーガイド６をガイド上端部から工具でねじ込むと、貫通穴２を通す際に閉じていた下ホルダー１１が第２ホルダーガイド６まで開いていき、その結果、下ホルダー１１の薄肉部ｄに設けた湾曲面１６が第２ホルダーガイド７に当たる。
【００６７】
この場合も、第１ホルダーガイド６が回転し易いように第２ホルダーガイド７の締付けを適宜調整することによって下ホルダー１１はスムースに開きうる。
【００６８】
更に、第１ホルダーガイド６をねじ込んでいくと、雄ネジ６ａと雌ネジ１１ａの螺合により、下ホルダー１１は上昇していく。
【００６９】
この場合も、第１ホルダーガイド６が回転し易いように第２ホルダーガイド７の締付けを適宜調整することによって下ホルダー１１はスムースに上昇しうる。
【００７０】
そして、下ホルダー１１が上昇するとこれが上ホルダー１０と合わさり、上ホルダー１０も上昇していく。
【００７１】
その結果、遂には、上ホルダー１０の上面全体及び下ホルダー１１の厚肉部ｅの上面が水栓取付板部側に当接して、アダプター５を水栓取付板部３に固定することができる。
【００７２】
この場合も、最終的に第１ホルダーガイド６と第２ホルダーガイド７の締付けを適宜調整することによって上ホルダー１０の上面全体及び下ホルダー１１の上面が水平状態でに水栓取付板部側に当接させることがてきる。
【符号の説明】
【００７３】
１            水栓取付け機構
２            供給管挿通用の貫通穴
３            水栓取付板部
４            供給管の挿通孔
５            アダプター
６            第１ホルダーガイド
７            第２ホルダーガイド
６ａ          雄ネジ
８，９        貫通孔
１０          上ホルダー
１１          下ホルダー
【図１】
2019007324.tif 000003
【図２】
2019007324.tif 000004
【図３】
2019007324.tif 000005
【図４】
2019007324.tif 000006
【図５】
2019007324.tif 000007
【図６】
2019007324.tif 000008
【図７】
2019007324.tif 000009
【図８】
2019007324.tif 000010